(57)【要約】【課題】  便座型尿糖計においては採尿・洗浄・排尿等のシーケンスに負荷がかかり、ポンプ設置などに大きなスペースが必要となる課題がある。【解決手段】  採尿時の気泡を防ぐために採尿容器と光学測定容器が一体となった採尿測定部１を備え、便器上に突き出た状態で保持される期間を有する。採尿容器と測定容器は支持部５中の導管を介して接続されており、通常は便座１４に備えられたポンプなどの液体搬送装置によって、採尿測定部１に備わった採尿容器で採取された尿は採尿測定部１に備わった測定容器に搬送される。測定を終了後、採尿測定部１は保持位置４６に戻り、測定容器中の尿は便器に排出される。  【選択図】      図１
2006275709.tif 000002
【特許請求の範囲】
【請求項１】
採尿するための採尿容器と尿成分を測定するための測定容器を有し、便座に備える濃度測定装置であって、少なくとも排尿時に前記測定容器が前記便座から突出する濃度測定装置。
【請求項２】
前記採尿容器を備える筐体と前記測定容器を備える筐体とが一体であることを特徴とする請求項１に記載の濃度測定装置。
【請求項３】
前記採尿容器は便器に対して前記筐体の上面に設けられ、前記測定容器は前記筐体の側面に設けられることを特徴とする請求項２に記載の濃度測定装置。
【請求項４】
前記採尿容器は便器に対して前記筐体の上面に設けられ、前記測定容器は便器に対して前記筐体の下面に設けられることを特徴とする請求項２に記載の濃度測定装置。
【請求項５】
前記採尿容器および前記測定容器は、それぞれ便器に対して上向きに配置される期間と下向きに配置される期間とがあることを特徴とする請求項１から請求項４のいずれか一項に記載の濃度測定装置。
【請求項６】
前記採尿容器および前記測定容器は、それぞれ便器に対して上向きに配置される期間と横向きに配置される期間とがあることを特徴とする請求項１から請求項４のいずれか一項に記載の濃度測定装置。
【請求項７】
前記採尿容器および前記測定容器は、それぞれ便器に対して下向きに配置される期間と横向きに配置される期間とがあることを特徴とする請求項１から請求項４のいずれか一項に記載の濃度測定装置。
【発明の詳細な説明】
【技術分野】
【０００１】
本発明は尿中に含まれる成分の濃度測定、特にグルコース濃度を高精度に測定する技術に関するものである。
【背景技術】
【０００２】
尿中の成分を測定することは健康を管理する上で有用なことはよく知られている。特に尿中グルコース濃度の測定は年々増え続ける糖尿病の指標となるので重要である。尿中のグルコース濃度、すなわち尿糖を判別する方法としては試験紙を用いた方法が一般的である。試験紙には通常、酵素を用いてはいるが、使い捨てのものであるため、特にメンテナンス等は必要でない。しかし、この方式は第一に尿に触れる可能性が大きいため不衛生的であり、また、一度紙コップなどで尿を採取してから試験紙を浸すなど、作業も面倒である。また、試験紙法自体が定性的に判断するものであるため、定量的な測定はできないという問題点も挙げられる。
【０００３】
また、他にＧＯＤ法などの酵素を用いた酵素法が知られているが、この方法は測定原理上一つのセンサーの測定回数に限りがあるため一定期間ごとのセンサー部の交換、またメンテナンスが必要であり、その上、緩衝液、センサー部の保存液などの消耗品も必要となる。その点、旋光度を用いた光学的方式においては、直接試料に触れることなく測定することが可能であり、センサー部に汚れが付着することもないため、特に部品の交換や消耗品等を必要とせず、長い期間において測定が可能である。すなわち、旋光度を用いた光学的方式では測定に際して被験者が尿に触れる危険性もなく、装置構成によってはボタンを押すだけ、もしくは排尿するだけで尿糖値の定量的な測定ができ、無論、定性的に尿糖値レベルの判別をすることも可能である。
【０００４】
旋光度より試料内の旋光性物質の濃度を求める方法の原理は式１に基づく。
θ＝１／１００×[α]λT×ｃ×Ｌ  （式１）
ここで、θは旋光度であり、一般に右旋光方向を＋、左旋光方向を−とする。[α]λTは光線の波長がλ、温度がＴの場合の旋光性物質の比旋光度であり、物質固有の係数である。また、ｃは試料中の旋光性物質の濃度、Ｌは試料の光路長である。式１において、前述のように比旋光度[α]λTは濃度測定前に既知の係数であり、試料の光路長Ｌも同様に既知の値であるため、試料に光線を通したときの旋光度θを測定することにより、試料中の旋光性物質の濃度ｃを求めることが出来る（例えば特許文献１参照）。
【０００５】
図１０は、上記文献での光学系を表している。レーザダイオード２１から出射した光束は、レンズ２２でコリメートされ、平行光となり、偏光子２３Ａにより、垂直方向から４５°傾斜した方向に振動する直線偏光になる。次に、液晶素子３１により水平方向もしくは垂直方向の偏光成分が位相変調される。液晶素子３１は、水平方向もしくは垂直方向に液晶分子長軸が揃ったホモジニアス配向の液晶素子であり、電圧印加により液晶分子が立ち、分子長軸方向の屈折率が変化し、位相変調を行う事ができる。
ここで、液晶素子３１により一方の偏光成分のみに位相変調を加えると、直交する偏光成分同士で干渉させる事になる。
【０００６】
次に、透過光はハーフミラー２４により反射光２０と直進光３０に分岐され、直進光３０は、水平軸と垂直軸が４５°傾斜した４分の１波長板２６Ａに入射し、水平・垂直方向の振動成分をそれぞれ反対方向に回転する円偏光成分に変換する事ができる。さらに、直進光３０は試料を保持した試料容器２５に入射し、試料の旋光度に伴った右回り円偏光と左回り円偏光間で±θの位相差が与えられる。さらに、４分の１波長板２６Ａと光軸が一
致もしくは直交する４分の１波長板２６Ｂを透過し、左右回りの円偏光が、それぞれ水平もしくは垂直方向に直交する偏光成分に変換される。
【０００７】
水平もしくは垂直方向から４５°傾斜した偏光子２３Ｂを透過する事により、上述の直交する偏光成分間の干渉信号が得られ、一方の光速が位相変調されているためビート信号が得られ、フォトダイオード２９Ａにより電気信号に変換される。フォトダイオード２９Ｂより得られるビート信号は、試料の旋光度の影響は受けておらず、フォトダイオード２９Ａ、２９Ｂの信号間により検出される位相差により、試料の旋光度が検出されることによって濃度を求める事ができる。
【０００８】
しかし、旋光度を用いて尿糖を測定する上での問題点として、尿中に存在する旋光性物質はグルコースのみではないことが挙げられる。尿中のグルコース以外の主な旋光性物質としては、種々のアミノ酸、タンパク質などが挙げられる。アミノ酸は一般化学式は式２で表される。
ＲＣＨ（ＮＨ2）ＣＯＯＨ  （式２）
式２においてＲはアミノ酸の種類によって異なる。これによるとグリシンＲ＝Ｈ以外のアミノ酸のほとんどは不整炭素を持つため、旋光度を持つ。また、生体に含まれるアミノ酸はほとんどがＬ型と言うことが知られている。また、タンパク質に関しては約２０種類のアミノ酸が大量にペプチド結合したものであり、分子量も数万と大きい分子である。このため、タンパク質はフィルターなどにより除去可能であると考えられる。アミノ酸が旋光度による尿糖測定において大きな阻害物質の一つであると考えられる。
【０００９】
これまで、アミノ酸に限らず、ある尿成分を測定する上で阻害物質となる成分の影響を取り除く手段として、様々な手法が考案されてきている。例えば、特許文献２によれば、グルコースとアルブミンの比旋光度の波長依存性の差を用いて、多波長の光で旋光度を測定し、測定した旋光度より連立方程式でグルコース濃度を算出する方法や、特許文献３によれば、試料に電界を印加し、電気泳動により阻害物質を測定に影響を与えない位置に局在化させる方法が挙げられている。また、文献には示されていないがイオン交換樹脂によって上記阻害物質を除去することも考えられる。
【００１０】
一方、市販の定量可能な尿糖計としては既にスティック型尿糖計（OMRON社のバイオチェッカー、TANITA社のデジタル尿糖計）や便座に尿糖計を備えた便座型尿糖計（TOTO社のウェルユー）が販売されおり、いずれもＧＯＤ法などの酵素を用いた方式を採用している。上記２種の尿糖計のうち、便座型尿糖計は手を使わずに測定可能であるので衛生面において優位性がある（例えば特許文献４参照）。
【００１１】
図１１は便座型尿糖計の１例の平面図を示す。図中便座機能部５３は便座に接続され、便座部７５は蓋のように上下に開閉できる。採尿部５６は尿を採取するための容器であり、導管５７は中空であり、採尿部を支持する役目と共に採尿部５６によって採取された尿を通過させる搬送手段の役目を持つ。また、導管５７は機動部４４によって通常は便座部７５の裏の保持位置５４に収まっており、必要に応じて尿採取位置５９に移動する。水タンク５２は水洗用の水を貯めるための部分である。
【００１２】
尿糖測定装置４５は酵素方式を用いた尿糖を測定する装置であり、緩衝液および保存液が保持されている。尿糖測定装置４５と導管５７とは導管７１で接続されており、尿は上記の両導管を介して尿糖測定装置４５に導入される。操作ボタン４７は尿糖測定装置４５を操作するためのスイッチであり、表示装置４６は尿糖測定装置４５の状態や測定結果を表示する。また、測定し終わった尿は導管６０を通って便器へと捨てられる（排出される）。
【００１３】
現在の便座型尿糖計は酵素を用いた方式であるので、一定期間ごとのセンサー部の交換、メンテナンスが必要であり、緩衝液および保存液などの消耗品も必要となる。この問題の解決のためグルコース以外の上記除去方法にて旋光成分を除去して、上記旋光度を用いた光学的方式を採用し、部品の交換や消耗品等を無くすことも考えられる。いずれの方式を採用しても上記便座型尿糖計においては、尿は採尿部から測定部まで導管を通って導かれる構造となる可能性が高い。
【００１４】
さらには、便座型尿糖計に旋光測定を用いた光学式を応用した発明もある（例えば特許文献４参照）。この発明によれば便座から光学測定手段を備えたノズルを出し入れして測定を行う構造であり、メンテフリーでポンプの不要な便座内蔵型の尿糖計となっている。
【００１５】
【特許文献１】特開２００２−２７７３８７号公報（図３）
【特許文献２】特開平９−１３８２３１号公報（表１）
【特許文献３】特開２００４−２８８８９号公報（図８）
【特許文献４】特開２０００−２５８４１１号公報（図１）
【発明の開示】
【発明が解決しようとする課題】
【００１６】
上述のとおり、酵素式を用いたスティック型尿糖計を使用する際はユーザーの作業に手間がかかる課題があり、酵素式を用いた便座型尿糖計においては採尿・洗浄・排尿等のシーケンスおよびポンプスペースに大きな負荷がかかる課題がある。また、光学式を用いた便座型尿糖計においては阻害成分の影響を受けやすいといった課題がある。
【００１７】
そこで、本発明では上述した問題点を解決し、ユーザーの作業性、制御シーケンス負荷および測定精度を向上させたバランスの良い濃度測定装置を提供することを目的とする。
【課題を解決するための手段】
【００１８】
これらの課題を解決するために本発明による濃度測定装置は、下記に記載の手段を採用する。すなわち本発明は、採尿するための採尿容器と尿成分を測定するための測定容器を有し便座に備える濃度測定装置であって、採尿容器および測定容器は便座から飛び出した位置で保持される期間を有する濃度測定装置である。
【００１９】
また、採尿容器を備える筐体と測定容器を備える筐体は一体であれば有効である。また、採尿容器および測定容器は上向きに配置される期間と下向きに配置される期間があり、さらには採尿容器および測定容器は上向きに配置される期間と横向きに配置される期間があり、さらには採尿容器および測定容器は下向きに配置される期間と横向きに配置される期間があれば効果的である。採尿容器は筐体の上面に配置され、測定容器は筐体の側面に配置される場合や、採尿容器は筐体の上面に配置され、測定容器は筐体の下面に配置される場合も有効である。
【００２０】
（作用）
便座型尿糖計は採尿部から導管を介して尿成分測定部に送られて成分測定を行うのが通常である。この場合、尿や洗浄液の導管通過のためのポンプの設置面積やシーケンスの複雑さが課題となる。また、特許文献４のとおりに光学式を用いた便座型尿糖計においては採尿時に測定弊害となる気泡が発生する課題および測定時の阻害成分の除去が必要であるという課題がある。
【００２１】
図９は本発明における考え方の模式図を示す。図９（Ａ）は採尿時の気泡を防ぐために採尿容器と光学測定容器を構造的に分離した模式図である。採尿容器は採尿筐体１１０に備えられており、光学測定容器は測定筐体１０３に備えられている。採尿筐体１１０と測定筐体１０３は便器上に突き出た状態で保持される期間を有する。採尿容器と測定容器は導管１２１によって接続されており、通常は便座１０４に備えられたポンプなどの液体搬送装置によって、採尿容器で採取された尿は導管１２１を介して光学測定容器に搬送される。上記により、測定容器に採尿時の気泡は解除できると共に採尿および測定時の尿は便器１０２へと排出される。
【００２２】
図９（Ｂ）は採尿時の気泡を防ぐと共に光学式による阻害成分を除去するために採尿容器と光学測定容器を構造的に分離し、フィルタを設けた構造の模式図である。採尿容器は採尿筐体１１０に備えられており、光学測定容器は測定筐体１０３に備えられている。採尿筐体１１０と測定筐体１０３は便器上に突き出た状態で保持される期間を有する。採尿容器と測定容器は導管１２２によって接続されており、通常は便座に備えられたポンプなどの液体搬送装置によって、採尿容器で採取された尿は導管１２２を介してフィルター１２３に搬送される。フィルター１２３内で阻害成分除去された尿は導管１２４を介して測定容器に搬送される。上記により、測定容器に採尿時の気泡がなく、阻害成分を除去した尿を測定できると共に採尿および測定時の尿は便器へと排出される。
【００２３】
図９（Ｃ）は採尿時の気泡を防ぐと共に光学式による阻害成分を除去するために採尿容器と光学測定容器を構造的に分離し、フィルタを設けた構造の模式図である。採尿容器および測定容器は筐体１０５に備えられている。筐体１０５は便器上に突き出た状態で保持される期間を有する。採尿容器と測定容器は導管１２２によって接続されており、通常は便座１０４に備えられたポンプなどの液体搬送装置によって、採尿容器で採取された尿は導管１２２を介してフィルター１２３に搬送される。フィルター１２３内で阻害成分除去された尿は導管１２４を介して測定容器に搬送される。上記により、測定容器に採尿時の気泡がなく、阻害成分を除去した尿を、１つの筐体にて採尿と測定ができると共に採尿および測定時の尿は便器へと排出される。実施の形態では上記３つの形態を総合的に説明するために、主に図９（Ｃ）に基づいた説明をする。
【発明の効果】
【００２４】
以上の説明のように、本発明の濃度測定装置においては、下記に記載する効果を有する。尿糖濃度を測定するための測定容器が便器上に突き出した状態で保持される期間を有するので、測定後の排尿のための配管および吸引機能は不要となる。また、採尿容器と濃度を測定するための測定容器が分かれた構造となっており、測定時の精度を阻害する気泡を軽減することができ、阻害成分を除去した尿を精度良く測定することが可能となる。さらには、１つの筐体に採尿容器と測定容器を備えることにより、制御シーケンスが簡素化し、省スペースとなる。
【発明を実施するための最良の形態】
【００２５】
以下、図面を用いて本発明を利用した尿成分測定装置の最適な実施形態を説明する。
【００２６】
（第一の実施形態）
図１は便座の平面図であり、本発明の第一の実施形態の例である。図１において、便座機能部１８は便座に接続され、便座部１４は蓋のように上下に開閉できる。採尿部１は尿を採取するための採尿容器３５および尿糖測定するための測定容器３２を備えた筐体である。支持部５は中空であり、採尿測定部１を支持する役目と共に採尿測定部１に設けられた採尿容器３５（図１では図示せず。）によって採取された尿および洗浄水を通過させ、フィルターを通した後の尿を通過させる搬送手段および測定のために必要な電源線・信号
線が内蔵されている。また、支持部５は機動部１７によって通常は便座部１４の裏の保持位置４６に収まっており、必要に応じて尿採取位置７２に移動する。水タンク４０は水洗用の水を貯めるための部分である。
【００２７】
総合制御手段５１は阻害成分を除去するためのフィルター、中央制御装置、電源が含まれており、尿糖測定全般の制御および尿糖測定を阻害する成分を除去するシステム全体の中心的な役割をする。導管７３は採尿測定部１によって採取された尿および洗浄水を通過させ、フィルターを通した後の尿を通過させる搬送手段および測定のために必要な電源線・信号線が内蔵されている。総合制御手段５１と支持部５内部の導管と導管７３は接続されており、尿は上記の両導管を介して総合制御手段５１に導入される。操作ボタン４１は総合制御手段５１を操作するためのスイッチであり、表示装置１９は総合制御手段５１の測定結果を表示する。また、フィルターを通して阻害成分を除去した尿は支持部５を通って採尿測定部１に設けられた測定容器に３２（図１では図示せず。）に搬送される。尿糖測定後の尿は洗浄液と共に便器へと排出される。
【００２８】
次に採尿測定部１の詳細構造について図２を用いて説明する。図２（Ａ）は採尿測定部１の周辺の拡大図であり、図２（Ｂ）は図２（Ａ）中の切断線１７と切断線１８によって切り取られた立体構造を示す。図２（Ｂ）中、ａ状態は指示により採尿測定部１が便座上に配置された尿採取位置７２の時を示し、ｃ状態は便座部１４の裏の保持位置４６の時を示し、ｂ状態はａ状態とｃ状態の中間時を示す。
【００２９】
断面１１は切断線１８により切り取られた場合の断面であり、ａ状態において採尿容器３５に人体から排泄された採取尿１３を採取する。この時、測定容器３２は９０°横に配置することになる。採尿後、支持部５は移動しｂ状態になり、採尿容器３５は斜め４５°になり洗浄液により洗浄され、残りの尿は洗浄液と共に便器に排出される。この時、測定容器３２も４５°に傾いた状態に配置することになる。その後支持部５は移動してｃ状態になり、測定容器３２にフィルターを通過した測定尿１２を採取して光学的に測定（測定に関しては従来例に示したとおり。）した後、洗浄液にて洗浄する。測定尿１２は洗浄液と共に便器に排泄される。この時、採尿容器３５は９０°横に配置することになる。
【００３０】
図３は採尿測定部１を便座部１４側から見たときの具体構造を示す図である。図中ａ状態は指示により採尿測定部１が便座上に配置された尿採取位置７２の時を示し、ｃ状態は便座部１４の裏の保持位置４６の時を示す。ａ状態において尿が採尿容器３５に蓄積されると導管３３を介して総合制御手段５１に搬送される。その後、ｂ状態の時（図示せず）、導管３３からの洗浄液にて採尿容器３５は洗浄される。次にｃ状態の時、測定容器３２に導管３７を介して阻害成分が除去された尿が保持される。制御手段５１に接続される信号線群３９によって制御される光学系３６により発光された光を受光部３４によって測定された結果を信号線３８によって総合制御手段５１に伝達される。
【００３１】
本発明の制御シーケンスのフローチャートを図４に示す。ステップ９１により測定の指示が発生すると操作９２によって、アームを動かして採尿位置７２にする（ａ状態）。次に、操作９３によって導管３３を介して総合制御手段５１に尿を搬送する。次に、操作９４にてアームを動かして状態ｂにし、操作９５により導管３３を介して洗浄水により採尿容器を洗浄する。次に操作９６により、アームを９０°回転させて保持位置４６に戻す。操作９７により阻害成分を除去した尿を導管３７を介して測定容器に排泄し、操作９８により尿糖を光学測定する。最後に、操作９９により導管３７を介して放出される洗浄水で測定し終わった尿を便器に流すと共に測定容器を洗浄する。
【００３２】
（第二の実施形態）
図５は便座の平面図であり、本発明の第二の実施形態の例である。図５において、便座
機能部１１８は便座に接続され、便座部１１４は蓋のように上下に開閉できる。採尿測定部１０１は人体から排泄された尿を採取するための容器および尿糖測定するための容器を備えた筐体である。支持部１０７は中空であり、採尿測定部１０１を支持する役目と共に採尿測定部１０１に設けられた採尿容器８５（図５では図示せず。）によって採取された尿および洗浄水を通過させ、フィルターを通した後の尿を通過させる搬送手段および測定のために必要な電源線・信号線が内蔵されている。採尿測定部１０１は必要に応じて便座に収納されるとともに、採尿測定部１０１は全体を回転することができる。水タンク１４０は水洗用の水を貯めるための部分である。
【００３３】
総合制御手段１５１は阻害成分を除去するためのフィルター、採尿測定部１０１を駆動するためのモーター、中央制御装置、電源が含まれており、尿糖測定全般の制御および尿糖測定を阻害する成分を除去するシステム全体の中心的な役割をする。導管１０７は採尿部１０１によって採取された尿および洗浄水を通過させ、フィルターを通した後の尿を通過させる搬送手段および測定のために必要な電源線・信号線が内蔵されている。総合制御手段１５１と導管１０７は接続されており、尿は導管１０７を介して総合制御手段１５１に導入される。操作ボタン１４１は総合制御手段１５１を操作するためのスイッチであり、表示装置１１９は総合制御手段１５１の測定結果を表示する。また、フィルターを通して阻害成分を除去した尿は導管１０７内部に設けられたを導管を介して測定容器８２に（図５では図示せず。）に搬送される。尿糖測定後の尿は洗浄液と共に便器へと排出される。
【００３４】
次に採尿測定部１０１の詳細構造について図６を用いて説明する。図６（Ａ）は採尿測定部１０１の周辺の拡大図であり、図６（Ｂ）は図６（Ａ）中の切断線８０と切断線９０によって切り取られた立体構造を示す。図６（Ｂ）中、ａ状態は指示により採尿容器８５が上になる位置の時を示す。ｂ状態は採尿容器８５および測定容器８２が横になる位置の時を示す。ｃ状態は指示により採尿測定部１０１および測定容器８２が横になる位置の時を示す。
【００３５】
断面９１は切断線９０により切り取られた場合の断面であり、ａ状態において採尿容器８５に測定尿１２を採取する。この時、測定容器３２は反対側の面に配置することになる。採尿後、採尿測定部１０１は回転しｂ状態になり、採尿容器８５は左横面に配置されることなり洗浄液により洗浄され、残りの尿は洗浄液と共に便器に排出される。この時、測定容器８２も右横面に配置することになる。その後、支持部５は移動してｃ状態になり、測定容器８２にフィルターを通過した採取尿１３を採取して光学的に測定する。その後、採尿測定部１０１は回転しｂ状態になり、採尿容器８５は左横面に配置されることなり洗浄液により洗浄され、残りの尿は洗浄液と共に便器に排出される。
【００３６】
図７は採尿測定部１０１を側面から見たときの具体構造を示す図である。図中、ａ状態は指示により採尿容器８５が上に配置されている時を示し、ｃ状態は測定容器８２が上に配置されている時を示す。ａ状態において尿が採尿容器８５に蓄積されると導管８３を介して総合制御手段５１に搬送される。その後、ｂ状態の時（図示せず）、導管３３からの洗浄液にて採尿容器８５は洗浄される。次にｃ状態の時、測定容器８２に導管８７を介して阻害成分が除去された尿が保持される。制御手段１５１に接続される信号線群８９によって制御される光学系８６により発光された光を受光部８４によって測定された結果を信号線８８によって総合制御手段１５１に伝達される。
【００３７】
本発明の制御シーケンスのフローチャートを図８に示す。ステップ６１により測定の指示が発生すると操作６２によって、アームを便器上に突き出してａ状態にする。次に、操作６３によって導管８３を介して総合制御手段１５１に尿を搬送する。次に、操作６４にてノズルを９０°回転してｂ状態にし、操作６５により導管８３を介して洗浄水により採
尿容器を洗浄する。次に操作６６により、ノズルをさらに９０°回転させてｃ状態にする。操作６７により阻害成分を除去した尿を導管８７を介して測定容器８２に搬送し、操作６７により尿糖を光学測定する。最後に、操作６８により導管８７を介して放出される洗浄水で測定し終わった尿を便器に流すと共に測定容器を洗浄する。
【００３８】
以上の構造と操作によりユーザーの作業性、制御シーケンスの負荷および精度を向上させたバランスの良い濃度測定装置を提供することが可能となる。本実施の形態では旋光度を測定する光学方式としたが、酵素方式等の他の測定方式でも効果がある。また、測定対象を尿糖としたが、尿糖以外の成分の濃度測定においても可能である。図２および図６中のａ状態、ｂ状態、ｃ状態は連続的であるが、尿が排出されるのであればａ状態とｂ状態のみでもよく、ａ状態とｃ状態のみでもよい。
【図面の簡単な説明】
【００３９】
【図１】本発明の第一の実施形態における濃度測定装置の構成を示す図である。
【図２】本発明の第一の実施形態における採尿・測定容器の立体断面を示す図である。
【図３】本発明の第一の実施形態における採尿・測定容器の詳細構成を示す図である。
【図４】本発明の第一の実施形態における制御シーケンスのフローチャートを示す図である。
【図５】本発明の第二の実施形態における濃度測定装置の構成を示す図である。
【図６】本発明の第二の実施形態における採尿・測定容器の立体断面を示す図である。
【図７】本発明の第二の実施形態における採尿・測定容器の詳細構成を示す図である。
【図８】本発明の第二の実施形態における制御シーケンスのフローチャートを示す図である。
【図９】本発明の濃度測定の概念図である。
【図１０】従来の旋光を使った濃度測定装置の構造を示す図である。
【図１１】従来の便座型尿糖計の構造を示す図である。
【符号の説明】
【００４０】
１    採尿測定部
３２  測定容器
３５  採尿容器
３３  導管
３６  光学系
５１  総合制御手段
【図１】
2006275709.tif 000003
【図２】
2006275709.tif 000004
【図３】
2006275709.tif 000005
【図４】
2006275709.tif 000006
【図５】
2006275709.tif 000007
【図６】
2006275709.tif 000008
【図７】
2006275709.tif 000009
【図８】
2006275709.tif 000010
【図９】
2006275709.tif 000011
【図１０】
2006275709.tif 000012
【図１１】
2006275709.tif 000013